(57)【要約】【課題】従来の断熱材は夏蓄熱体と化し冬蓄冷体と化すような欠点があった。また、水分を持ちやすい事から結露後カビが生えカビ胞子乱舞からトリコスポロン病の危険性か大であった。更に、発泡系暖熱材は燃えやすく有毒ガスによる被害が後を絶たなかった。【解決手段】静止空気層を大量に有するバブル型ポリエチレンシートと太陽光領域の電磁波を反射する不燃性遮熱シートの組み合わせにより熱移動の三原則である伝導型熱移動と対流型熱移動と輻射型熱移動を効率よく防ぐと共に結露と失火時の有毒ガス問題を一挙に解決することが出来る。【選択図】図１
2020133382.tif 000002
【特許請求の範囲】
【請求項１】
バブル型ポリエチレンシートを断熱材として天井、壁、床に施工し伝導型熱移動と対流型熱移動を防止する工法。
【請求項２】
バブル型ポリエチレンシートと遮熱シートを組み合わせ、天井、壁、床に施工し熱移動の３原則である伝導型熱移動と対流型熱移動と輻射型熱移動を防止する工法。
【発明の詳細な説明】
【技術分野】
【０００１】  本発明は、バブル型ポリエチレンシートと遮熱材を合わせた建物の天井又は壁及び床の構造体に関する。
【背景技術】
【０００２】  従来の建物構造は、夏の暑さと冬の寒さ対策に天井又は壁及び床に繊維系又は発泡系断熱材を施工することが一般的な手法である。（以下この工法を「断熱工法」という）
【発明の概要】
【発明が解決しようとする問題】
【０００３】  しかしながら従来の断熱工法では、夏には断熱材が蓄熱体と化してしまう。また、冬には蓄冷帯となり効果的な室内の温度帯を得るためにはエアコンに頼るしかなかった。更に、繊維系断熱材は４乃至５ミクロン前後の極細ガラス繊維故に施工時室内空間に飛散し人間の体内に入り込み健康を蝕んでしまうという問題点を抱えていた。
【０００４】  一方発泡系断熱材は極めて燃えやすくしかも火災時には多量の有毒ガスを発生し、それを吸引した人間が死に至るという悲惨なニュースが後を絶たない。また、繊維系断熱材も発泡系断熱材も水分を吸い込むことで結露を発生させる。
【０００５】  結露には黒カビ（トリコスポロン種）が自生し目に見えないカビ胞子が乱舞する空間になる。そこに居住する子供達がカビ胞子を飲み込んでしまう事でトリコスポロン病にかかってしまう事は近年明らかになった。症状が風邪に似ている事から風邪薬で治療しようとするが一向に良く成らずに死に至るケースも数多くある。
【０００６】  更に、断熱材は太陽光（赤外線、可視光線、紫外線領域の電磁波）の反射率が１０％前後と乏しいため、夏は暖輻射熱、冬は冷輻射熱を防げず、夏暑く冬寒い建物空間となってしまう。
【課題を解決するための手段】
【０００７】  本発明は従来の建物構造体が抱える多くの問題を解決しようとするものであり、熱移動の３原則中、伝導と対流は、熱移動が起こりにくい無数の静止空気層で構成されるバブル型ポリエチレンシートで防ぎ、太陽光から間断なく降り注ぐ輻射熱（電磁波）はアルミ箔仕様遮熱シートで防ぐという完璧な構造体を提供しようとするものである。
【０００８】  更にバブル型ポリエチレンのバブルの大きさは自由に設定することが出来る。バブル型ポリエチレン製造マシーンは一立方体の簡易マシーンであり建設現場に持ち運び可能である。市販されているバブル型ポリエチレンシートもこのマシーンも本来の使用目的は物体と物体の接触損傷を防ぐための緩衝効果材であるが本特許考案では従来の断熱材の代替えとして使うことが新しい発想である。
【０００９】  バブル型ポリエチレンは静止空気層の連続から成る。市販されている一般的なバブルの高さは３ｍｍ〜５ｍｍ程度であるが空間が低すぎて熱伝導を起こすという問題があった。そのことを解消するために、バブル高は最低１０ｍｍとし、バブル内で自然対流が起こらない範囲の最大３０ｍｍが好適であるが最高の断熱値（熱抵抗値）を望まなければそれ以外のバブル高でも問題はない。
【００１０】  バブル型ポリエチレンは火災時有毒ガスがゼロ％であり、しかもバブル部分は空気が静止しているため対流型熱移動を起こさない。また、バブル型ポリエチレンに使用しているポリエチレンシート厚は極薄のため物体を通して移動する伝導型熱移動に優れた性能を発揮する。よってバブル型ポリエチレンは従来の断熱材に比して高性能断熱性効果を有するものである。
【発明の効果】
【００１１】  上述したように、本発明は、対流型熱移動と伝導型熱移動は楕円形の静止空気層を数多く有するバブル型ポリエチレンシートで防ぎ、赤外線領域の電磁波と化す輻射型熱移動は、電磁波高反射性アルミ箔からなる遮熱シートで防ぐことで夏涼しく冬暖かいことは勿論のこと、省エネ型建屋空間を得ることが出来る。
【００１２】  更に、本発明の建屋造り工法により、外気の影響を受けないことから寒暖の差で発生する結露を防ぐことが出来る。その結露対策により、結露から成るカビ胞子の乱舞も防ぐ事が出きることで住人にトリコスポロン病の危険に曝すことはない。
【００１３】  また、断熱効果が高いバブル型ポリエチレンシートは前記通り火災時有毒ガス発生０％であることから住人に対しもしもの火災時にも余裕のある避難時間を与えることが出来る。
【図面の簡単な説明】
【００１４】
【図１】バブル型ポリエチレンシート断面図
【図２】アルミ箔仕様遮熱シート断面図
【図３】バブル型ポリエチレンシートと遮熱材併用工法断面図
【発明を実施するための形態】
【００１５】  以下、本発明の実施の形態を図１〜図３に基づいて説明する。
【００１６】  図１においては、断熱材として使用するバブル型ポリエチレンシートの断面１でシート３もバブル箇所２もポリエチレン製樹脂からなり多数の円状空気層を有する構造体である。空気層の高さは伝導型熱移動が生じず自然対流が発生しない１０ｍｍ〜３０ｍｍ内が好適である。
【００１７】  図２は、表裏にアルミ箔シート６と３層のポリエチレン樹脂製シート５と小サイズのバブル型空気層７からなる遮熱シート構造体である。このシートは、太陽光、つまり赤外線、可視光線、紫外線領域の電磁波を跳ね返すと同時に輻射熱を有した屋根や壁面等の物体から赤外線領域の電磁波と化し部屋等の低い方に熱移動することを反射して防止するためのシートである。
【００１８】  図３においては、バブル型ポリエチレンシート１と７層構造体の遮熱シート４の外側にスペーサー１１を施工し空気層１０を設けた構造体断面である。空気が静止すれば空気分子（暖冷熱分子）が動けないことから、バブル型ポリエチレンシート内の静止空気層２と遮熱シート４と外装材１２の間の空気層１０と遮熱シート内の静止空気層７が相まって優れた熱移動防止が可能になる。また、空気層１０に空気ストッパーを施せば静止空気層が得られ更なる性能となる。
【００１９】  バブル型ポリエチレンシート１は納まり箇所によって複数枚使用することで熱抵抗値を高める事ができる。
【実施例１】
【００２０】  戸建壁面を想定し、２本の１０５ｍｍ角柱４５０ｍｍ間にグラスウール断熱材２０ｍｍ厚と発泡ウレタン断熱材２０ｍｍ厚と本考案のバブル型ポリエチレンシート２０ｍｍ厚の熱伝導度を測定する。【００２１】      ［熱伝導試験］
無暖房の室内温度摂氏８℃内に８００ワットの赤外線ヒーターを試験体から２０センチメートル離して設置した。試験体の表面には前記赤外線を照射し裏面に熱センサー温度計を貼り付け如何に熱が伝導するかを測定した。【００２２】      ［結果］
グラスウール断熱材は赤外線照射３０分後摂氏１８℃、発泡型ウレタン断熱材は摂氏１５℃に対しバブル型ポリエチレンシートは摂氏１２℃である。その後９０分経過後ではグラスウール断熱材とバブル型ポリエチレンシートの温度差は摂氏９℃、発泡型ウレタン断熱材とバブル型ポリエチレンシートの温度差は摂氏７℃である。【００２３】      ［試験結果表］
2020133382.tif 000003
【００２４】      ［考察］
以上の試験結果表で示す通り通例使われてきた２種の断熱材よりバブル型ポリエチレンシートの熱伝導度が小さいことが分かった。また、放射時間は１８０分まで継続した。その結果、グラスウール断熱材とバブル型ポリエチレンシートの温度差は摂氏１５℃、発泡型ウレタン断熱材とバブル型ポリエチレンシートの温度差は摂氏１２℃と大きな差であった。
【実施例２】
【００２５】  図３で示す構造体の熱貫流抵抗値を測定する。２本の１０５ｍｍ厚の柱４５０ｍｍの間にはバブル型ポリエチレンシートを施工し性能を求めた。また、前記バブル型ポリエチレンシートを取り除き同位置にグラスウール断熱材を入れ性能を求め、バブル型ポリエチレンシートを取り除き同位置に発泡型ウレタン断熱を入れ其々の性能を求めた。各３種試験体の外側には何れも空気層と遮熱シートを同様に設置し断熱材２種又はバブル型ポリエチレンシートの室内側には内装材を設置した。【００２６】      ［熱貫流抵抗値試験］
何れの構造体も幅高さ２０００ｍｍの加熱箱型試験室内で行う。試験体は箱の中央に隙間なく設置し、試験体の右側は恒温室、左側は定温室であり、熱力学の基本である、熱は高い方から低い方へ流れ両方一定になるまで流れ続けると云う原則に法り試験が行われる。この準拠規格はＪＩＳＡ１４２０（建築用構成材の断熱測定方法−校正熱箱法及び保護熱箱法）による。また、加熱箱側は２０℃、低温室内は０℃である。【００２７】      ［結果］
図３で示す遮熱材とバブル型ポリエチレンシートの組み合わせ構造体の熱貫流抵抗値は３．５、遮熱材とグラスウール断熱材の組み合わせは２．２、遮熱材と発泡型断熱材の組み合わせは２．６の結果を得た。【００２８】      ［考察］
熱移動の三原則は、伝導型、対流型、輻射型である。熱は高い方から低い方に流れ両方一定に成るまで流れ続ける。また。熱自体媒体が無いと動けない。伝導型は地球上に存在する物体が媒体となり、対流型は空気や水のような流体を媒体として移動する。残りの輻射型は電磁波と化し熱移動を起こす。この３種試験では何れも輻射型熱移動を防止する遮熱材を使っている。また、伝導と対流型熱移動を防止する素材は断熱材の性能如何である事は旧知である。断熱材の好適効果は断熱材内に如何に多くの静止空気層があるか、伝導型熱移動を起こす目に見える物体が如何に少ないかが性能の優劣を決することも旧知である。その事からバブル型ポリエチレンシートはシートが極薄でありバブル型ポリエチレン内には静止空気層が従来の断熱材に比して圧倒的量である。ここで行った試験はこの事を裏付ける結果である。
【符号の説明】
【００２９】１    バブル型ポリエチレンシート
２    バブル層内空気
３    ポリエチレン製樹脂シート
４    遮熱シート
５    バブル層保護型ポリエチレンシート
６    アルミ箔シート
７    バブル型小サイズ空気層
８    空気層付加断熱遮熱構造体
９    内装材
１０  空気層
１１  スペーサー
１２  外装材
１３  柱
【図１】
2020133382.tif 000004
【図２】
2020133382.tif 000005
【図３】
2020133382.tif 000006